【手続補正書】
【提出日】平成19年11月15日(2007.11.15)
【手続補正１】
【補正対象書類名】特許請求の範囲
【補正対象項目名】全文
【補正方法】変更
【補正の内容】
【特許請求の範囲】
【請求項１】
選択信号及びペースト信号を生成するリモコンと、
ソース装置及びシンク装置と関連づけられ、前記リモコンから前記選択信号及びペースト信号を受け取るように構成された制御装置と、
前記選択信号及びペースト信号に応答して、前記ソース装置の１つから前記シンク装置の１つにメディアデータを転送するように構成されたロジックと、
を含む、メディアデータの経路指定及びメディア機器の制御のためのシステム。
【請求項２】
前記ロジックがスイッチング・マトリックスを含む、請求項１記載のシステム。
【請求項３】
前記ロジックが中央コントローラを含む、請求項１記載のシステム。
【請求項４】
前記ロジックが、前記メディアデータのフォーマットを変換するフォーマット変換器を含む、請求項１記載のシステム。
【請求項５】
前記リモコンが無線リモコンである、請求項１記載のシステム。
【請求項６】
前記リモコンが赤外線リモコンである、請求項５記載のシステム。
【請求項７】
少なくとも１つのソース装置が、関連づけられた制御装置とは別の場所に位置する仮想ソース装置である、請求項１記載のシステム。
【請求項８】
少なくとも１つのシンク装置が、関連づけられた制御装置とは別の場所に位置する仮想シンク装置である、請求項１記載のシステム。
【請求項９】
前記シンク装置の１つが、別の場所と通信するメディアバスである、請求項１記載のシステム。
【請求項１０】
前記シンク装置の１つに複数の制御装置が関連づけられ、該制御装置の１つに１つ以上のシンク装置が関連づけられる、請求項１記載のシステム。
【請求項１１】
前記システムが、前記選択機能及びペースト機能に対するフィードバックを与える、請求項１記載のシステム。
【請求項１２】
ソース及びシンク装置を選択するための、コントローラ位置／向き情報を生成する携帯コントローラと、
前記携帯コントローラを用いた前記ソース及び前記シンク装置の選択に応答して、選択されたソース装置から選択されたシンク装置にメディアデータを転送するように構成されたロジックと、
を含む、メディアデータの経路指定及びメディア機器の制御のためのシステム。
【請求項１３】
前記携帯コントローラが、ソース装置を選択するための選択ボタンと、シンク装置を選択するためのペーストボタンとを含む、請求項１２記載のシステム。
【請求項１４】
前記ロジックがスイッチング・マトリックスを含む、請求項１２記載のシステム。
【請求項１５】
前記ロジックが中央コントローラを含む、請求項１２記載のシステム。
【請求項１６】
前記ロジックがフォーマット変換器を含む、請求項１２記載のシステム。
【請求項１７】
前記携帯コントローラが６自由度コントローラである、請求項１２記載のシステム。
【請求項１８】
前記携帯コントローラが前記ロジックと無線通信する、請求項１２記載のシステム。
【請求項１９】
前記ソース装置及び前記シンク装置が、前記携帯コントローラが前記ソース装置又は前記シンク装置に向けられているか否かを定義する補助となる所定の制御ウインドウと関連づけられる、請求項１２記載のシステム。
【請求項２０】
前記シンク装置が、別の場所に接続するメディアバスである、請求項１２記載のシステム。
【請求項２１】
前記ロジックが、スイッチング・マトリックスとして作用するネットワークに接続する、請求項１２記載のシステム。
【請求項２２】
前記ネットワークがインターネットである、請求項２１記載のシステム。
【請求項２３】
コンピュータに、
リモコンを用いて、ソース装置と関連づけられた第１の制御装置へ選択信号を送信させる機能と、
前記リモコンを用いて、シンク装置と関連づけられた第２の制御装置へペースト信号を送信させる機能と、
前記選択信号及び前記ペースト信号の送信に応答して、前記ソース装置から前記シンク装置へとメディアデータ転送させる機能と、
を実現させるための、プログラム。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】変更
【補正の内容】
【００２０】
請求項１の発明は、選択信号及びペースト信号を生成するリモコンと、ソース装置及びシンク装置と関連づけられた制御装置と、前記リモコンから前記選択信号及びペースト信号を受け取るように構成された制御装置と、前記選択信号及びペースト信号に応答して、前記ソース装置の１つから前記シンク装置の１つにメディアデータを転送するように構成されたロジックとを含む、メディアデータの経路指定及びメディア機器の制御のためのシステムである。
【手続補正１３】
【補正対象書類名】明細書
【補正対象項目名】００２１
【補正方法】変更
【補正の内容】
【００２１】
請求項２の発明は、請求項１記載の発明において、前記ロジックがスイッチング・マトリックスを含む。
【手続補正１４】
【補正対象書類名】明細書
【補正対象項目名】００２２
【補正方法】変更
【補正の内容】
【００２２】
請求項３の発明は、前記ロジックが中央コントローラを含む、請求項１記載のシステム。
【手続補正１５】
【補正対象書類名】明細書
【補正対象項目名】００２３
【補正方法】変更
【補正の内容】
【００２３】
請求項４の発明は、請求項１記載の発明において、前記ロジックが、前記メディアデータのフォーマットを変換するフォーマット変換器を含む。
【手続補正１６】
【補正対象書類名】明細書
【補正対象項目名】００２４
【補正方法】変更
【補正の内容】
【００２４】
請求項５の発明は、請求項１記載の発明において、前記リモコンが無線リモコンである。
【手続補正１７】
【補正対象書類名】明細書
【補正対象項目名】００２５
【補正方法】変更
【補正の内容】
【００２５】
請求項６の発明は、請求項５記載の発明において、前記リモコンが赤外線リモコンである。
【手続補正１８】
【補正対象書類名】明細書
【補正対象項目名】００２６
【補正方法】変更
【補正の内容】
【００２６】
請求項７の発明は、請求項１記載の発明において、少なくとも１つのソース装置が、関連づけられた制御装置とは別の場所に位置する仮想ソース装置である。
【手続補正１９】
【補正対象書類名】明細書
【補正対象項目名】００２７
【補正方法】変更
【補正の内容】
【００２７】
請求項８の発明は、請求項１記載の発明において、少なくとも１つのシンク装置が、関連づけられた制御装置とは別の場所に位置する仮想シンク装置である。
【手続補正２０】
【補正対象書類名】明細書
【補正対象項目名】００２８
【補正方法】変更
【補正の内容】
【００２８】
請求項９の発明は、請求項１記載の発明において、前記シンク装置の１つが、別の場所と通信するメディアバスである。
【手続補正２１】
【補正対象書類名】明細書
【補正対象項目名】００２９
【補正方法】変更
【補正の内容】
【００２９】
請求項１０の発明は、請求項１記載の発明において、前記シンク装置の１つに複数の制御装置が関連づけられ、該制御装置の１つに１つ以上のシンク装置が関連づけられる。
【手続補正２２】
【補正対象書類名】明細書
【補正対象項目名】００３０
【補正方法】変更
【補正の内容】
【００３０】
請求項１１の発明は、請求項１記載の発明において、前記システムが、前記選択機能及びペースト機能に対するフィードバックを与える。
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】００４０
【補正方法】変更
【補正の内容】
【００４０】
請求項１２の発明は、ソース及びシンク装置を選択するための、コントローラ位置／向き情報を生成する携帯コントローラと、前記携帯コントローラを用いた前記ソース及び前記シンク装置の選択に応答して、選択されたソース装置から選択されたシンク装置にメディアデータを転送するように構成されたロジックとを含む、メディアデータの経路指定及びメディア機器の制御のためのシステムである。
【手続補正３３】
【補正対象書類名】明細書
【補正対象項目名】００４１
【補正方法】変更
【補正の内容】
【００４１】
請求項１３の発明は、請求項１２記載の発明において、前記携帯コントローラが、ソース装置を選択するための選択ボタンと、シンク装置を選択するためのペーストボタンとを含む。
【手続補正３４】
【補正対象書類名】明細書
【補正対象項目名】００４２
【補正方法】変更
【補正の内容】
【００４２】
請求項１４の発明は、請求項１２記載の発明において、前記ロジックがスイッチング・マトリックスを含む。
【手続補正３５】
【補正対象書類名】明細書
【補正対象項目名】００４３
【補正方法】変更
【補正の内容】
【００４３】
請求項１５の発明は、請求項１２記載の発明において、前記ロジックが中央コントローラを含む。
【手続補正３６】
【補正対象書類名】明細書
【補正対象項目名】００４４
【補正方法】変更
【補正の内容】
【００４４】
請求項１６の発明は、請求項１２記載の発明において、前記ロジックがフォーマット変換器を含む。
【手続補正３７】
【補正対象書類名】明細書
【補正対象項目名】００４５
【補正方法】変更
【補正の内容】
【００４５】
請求項１７の発明は、請求項１２記載の発明において、前記携帯コントローラが６自由度コントローラである。
【手続補正３８】
【補正対象書類名】明細書
【補正対象項目名】００４６
【補正方法】変更
【補正の内容】
【００４６】
請求項１８の発明は、請求項１２記載の発明において、前記携帯コントローラが前記ロジックと無線通信する。
【手続補正３９】
【補正対象書類名】明細書
【補正対象項目名】００４７
【補正方法】変更
【補正の内容】
【００４７】
請求項１９の発明は、請求項１２記載の発明において、前記ソース装置及び前記シンク装置が、前記携帯コントローラが前記ソース装置又は前記シンク装置に向けられているか否かを定義する補助となる所定の制御ウインドウと関連づけられる。
【手続補正４０】
【補正対象書類名】明細書
【補正対象項目名】００４８
【補正方法】変更
【補正の内容】
【００４８】
請求項２０の発明は、請求項１２記載の発明において、前記シンク装置が、別の場所に接続するメディアバスである。
【手続補正４１】
【補正対象書類名】明細書
【補正対象項目名】００４９
【補正方法】変更
【補正の内容】
【００４９】
請求項２１の発明は、請求項１２記載の発明において、前記ロジックが、スイッチング・マトリックスとして作用するネットワークに接続する。
【手続補正４２】
【補正対象書類名】明細書
【補正対象項目名】００５０
【補正方法】変更
【補正の内容】
【００５０】
請求項２２の発明は、請求項２１記載の発明において、前記ネットワークがインターネットである。
【手続補正４３】
【補正対象書類名】明細書
【補正対象項目名】００５１
【補正方法】変更
【補正の内容】
【００５１】
請求項２３の発明は、コンピュータに、リモコンを用いて、ソース装置と関連づけられた第１の制御装置へ選択信号を送信させる機能と、前記リモコンを用いて、シンク装置と関連づけられた第２の制御装置へペースト信号を送信させる機能と、前記選択信号及び前記ペースト信号の送信に応答して、前記ソース装置から前記シンク装置へとメディアデータ転送させる機能と、を実現させるための、メディアデータの経路指定及びメディア機器の制御のためのプログラムである。